(57)【要約】【課題】延長された番組をスムーズに視聴する。【解決手段】ＨＤＤプレイヤは、１の物理チャンネルの番組情報をサブチャンネル毎に、サブチャンネルのチャンネル番号情報及び番組名情報とそれぞれ対応付けて格納する番組情報記憶部１９１と、リモコン３を介してユーザからの操作入力を受け付けて、番組情報記憶部１９１に格納されたサブチャンネルのチャンネル番号情報を変更するサブチャンネル変更部１１３と、リモコン３を介してユーザからの操作入力を受け付けて、再生する対象のサブチャンネル番号を設定する再生チャンネル設定部１１４と、設定されたサブチャンネル番号に対応する番組情報を番組情報記憶部１９１から読み出して再生し、ディスプレイ２１に表示する再生実行部１１５と、を備えている。【選択図】図２
2008199241.tif 000002
【特許請求の範囲】
【請求項１】
デジタル放送を受信し、受信した番組情報を格納すると共に、格納された番組情報を再生してモニタに表示するデジタル放送再生装置であって、
複数のサブチャンネルを含む１の物理チャンネルのデジタル放送を受信する受信手段と、
前記受信手段によって受信された１の物理チャンネルの番組情報を格納する番組情報記憶手段と、
前記受信手段によって受信された１の物理チャンネルの番組情報を、前記受信手段によって受信された情報に基づいて、前記１の物理チャンネルに含まれる複数のサブチャンネル毎に、サブチャンネルのチャンネル番号情報及び番組名情報とそれぞれ対応付けて前記番組情報記憶手段に記録する記録実行手段と、
前記番組情報記憶手段に格納されたサブチャンネルのチャンネル番号情報及び番組名情報を対応付けて前記モニタに表示するサブチャンネル表示手段と、
外部からの操作入力を受け付けて、受け付けられた操作入力に基づいて、前記番組情報記憶手段に格納されたサブチャンネルのチャンネル番号情報を変更し、変更後のチャンネル番号情報を前記番組情報記憶手段に上書きして記録するサブチャンネル変更手段と、
外部からの操作入力を受け付けて、受け付けられた操作入力に基づいて、再生する対象のサブチャンネル番号を設定する再生チャンネル設定手段と、
前記再生チャンネル設定手段によって設定されたサブチャンネル番号に対応する番組情報を前記番組情報記憶手段から読み出して再生し、前記モニタに表示する再生実行手段と、
を備えることを特徴とするデジタル放送再生装置。
【請求項２】
デジタル放送を介して受信した番組情報を格納すると共に、格納された番組情報を再生してモニタに表示するデジタル放送再生装置であって、
デジタル放送を介して受信された１の物理チャンネルの番組情報を、前記１の物理チャンネルに含まれる複数のサブチャンネル毎に、サブチャンネルのチャンネル番号情報及び番組名情報とそれぞれ対応付けて格納する番組情報記憶手段と、
外部からの操作入力を受け付けて、受け付けられた操作入力に基づいて、前記番組情報記憶手段に格納されたサブチャンネルのチャンネル番号情報を変更し、変更後のチャンネル番号情報を前記番組情報記憶手段に上書きして記録するサブチャンネル変更手段と、
外部からの操作入力を受け付けて、受け付けられた操作入力に基づいて、再生する対象のサブチャンネル番号を設定する再生チャンネル設定手段と、
前記再生チャンネル設定手段によって設定されたサブチャンネル番号に対応する番組情報を前記番組情報記憶手段から読み出して再生し、前記モニタに表示する再生実行手段と、
を備えることを特徴とするデジタル放送再生装置。
【請求項３】
複数のサブチャンネルを含む１の物理チャンネルのデジタル放送を受信する受信手段と、
前記受信手段によって受信された１の物理チャンネルの番組情報を、前記受信手段によって受信された情報に基づいて、前記１の物理チャンネルに含まれる複数のサブチャンネル毎に、サブチャンネルのチャンネル番号情報及び番組名情報とそれぞれ対応付けて前記番組情報記憶手段に記録する記録実行手段と、
を備えることを特徴とする請求項２に記載のデジタル放送再生装置。
【請求項４】
前記番組情報記憶手段に格納されたサブチャンネルのチャンネル番号情報及び番組名情報を対応付けて前記モニタに表示するサブチャンネル表示手段を備えることを特徴とする請求項２又は請求項３に記載のデジタル放送再生装置。
【発明の詳細な説明】
【技術分野】
【０００１】
本発明は、デジタル放送を介して受信した番組情報を格納すると共に、格納された番組情報を再生してモニタに表示するデジタル放送再生装置に関する。
【背景技術】
【０００２】
デジタル放送では、１の物理チャンネル（周波数帯）に複数のサブチャンネル（番組）を多重化して送信するＴＳ（Ｔｒａｎｓｐｏｒｔ  Ｓｔｒｅａｍ：トランスポートストリーム）形式が採用されている。この多重化されたデジタル放送を受信して記録及び再生する種々の方法、装置が提案されている。
【０００３】
例えば、再生の際に番組の検索、早送り或いは巻き戻しを高速にすることができるデジタルビデオ記録再生装置が提案されている（特許文献１参照）。このデジタルビデオ記録再生装置は、録画モードにおいて、分離化部でＴＳをパケット毎に分離して、更に、各パケットを番組毎に分け、各パケットを番組毎に多重化して番組毎の番組ストリームファイルを記憶媒体へ記録するものである。また、このデジタルビデオ記録再生装置は、再生モードにおいて、指定された番組の番組ストリームファイルを読み出して、その番組を再生するものである。
【特許文献１】特開２００３−２７４３３７号公報
【発明の開示】
【発明が解決しようとする課題】
【０００４】
しかしながら、上記デジタルビデオ記録再生装置においては、１の物理チャンネルに含まれる１のサブチャンネル（例えば、チャンネル番号が「１」のサブチャンネル）の番組（例えば、野球中継の番組）が延長された場合に、放送局側が、前記１の物理チャンネルに含まれる他の１のサブチャンネル（例えば、チャンネル番号が「２」のサブチャンネル）で放送した場合には、再生中に再生するサブチャンネル番号を再度指定する（再生するサブチャンネル番号を、「１」から「２」に変更する）必要があるため、延長された番組をスムーズに視聴することができないという課題があった。
【０００５】
本発明は、上記課題に鑑みてなされたものであって、延長された番組をスムーズに視聴することの可能なデジタル放送再生装置を提供することを目的としている。
【課題を解決するための手段】
【０００６】
上記目的を達成するために請求項１に記載のデジタル放送再生装置は、デジタル放送を受信し、受信した番組情報を格納すると共に、格納された番組情報を再生してモニタに表示するデジタル放送再生装置であって、複数のサブチャンネルを含む１の物理チャンネルのデジタル放送を受信する受信手段と、前記受信手段によって受信された１の物理チャンネルの番組情報を格納する番組情報記憶手段と、前記受信手段によって受信された１の物理チャンネルの番組情報を、前記受信手段によって受信された情報に基づいて、前記１の物理チャンネルに含まれる複数のサブチャンネル毎に、サブチャンネルのチャンネル番号情報及び番組名情報とそれぞれ対応付けて前記番組情報記憶手段に記録する記録実行手段と、前記番組情報記憶手段に格納されたサブチャンネルのチャンネル番号情報及び番組名情報を対応付けて前記モニタに表示するサブチャンネル表示手段と、外部からの操作入力を受け付けて、受け付けられた操作入力に基づいて、前記番組情報記憶手段に格納されたサブチャンネルのチャンネル番号情報を変更し、変更後のチャンネル番号情報を前記番組情報記憶手段に上書きして記録するサブチャンネル変更手段と、外部からの操作入力を受け付けて、受け付けられた操作入力に基づいて、再生する対象のサブチャンネル番号を設定する再生チャンネル設定手段と、前記再生チャンネル設定手段によって設定されたサブチャンネル番号に対応する番組情報を前記番組情報記憶手段から読み出して再生し、前記モニタに表示する再生実行手段と、を備えることを特徴としている。
【０００７】
請求項２に記載のデジタル放送再生装置は、デジタル放送を介して受信した番組情報を格納すると共に、格納された番組情報を再生してモニタに表示するデジタル放送再生装置であって、デジタル放送を介して受信された１の物理チャンネルの番組情報を、前記１の物理チャンネルに含まれる複数のサブチャンネル毎に、サブチャンネルのチャンネル番号情報及び番組名情報とそれぞれ対応付けて格納する番組情報記憶手段と、外部からの操作入力を受け付けて、受け付けられた操作入力に基づいて、前記番組情報記憶手段に格納されたサブチャンネルのチャンネル番号情報を変更し、変更後のチャンネル番号情報を前記番組情報記憶手段に上書きして記録するサブチャンネル変更手段と、外部からの操作入力を受け付けて、受け付けられた操作入力に基づいて、再生する対象のサブチャンネル番号を設定する再生チャンネル設定手段と、前記再生チャンネル設定手段によって設定されたサブチャンネル番号に対応する番組情報を前記番組情報記憶手段から読み出して再生し、前記モニタに表示する再生実行手段と、を備えることを特徴としている。
【０００８】
請求項３に記載のデジタル放送再生装置は、請求項２に記載のデジタル放送再生装置であって、複数のサブチャンネルを含む１の物理チャンネルのデジタル放送を受信する受信手段と、前記受信手段によって受信された１の物理チャンネルの番組情報を、前記受信手段によって受信された情報に基づいて、前記１の物理チャンネルに含まれる複数のサブチャンネル毎に、サブチャンネルのチャンネル番号情報及び番組名情報とそれぞれ対応付けて前記番組情報記憶手段に記録する記録実行手段と、を備えることを特徴としている。
【０００９】
請求項４に記載のデジタル放送再生装置は、請求項２又は請求項３に記載のデジタル放送再生装置であって、前記番組情報記憶手段に格納されたサブチャンネルのチャンネル番号情報及び番組名情報を対応付けて前記モニタに表示するサブチャンネル表示手段を備えることを特徴としている。
【発明の効果】
【００１０】
請求項１に記載のデジタル放送再生装置によれば、デジタル放送を介して受信された１の物理チャンネルの番組情報が、１の物理チャンネルに含まれる複数のサブチャンネル毎に、サブチャンネルのチャンネル番号情報及び番組名情報とそれぞれ対応付けて番組情報記憶手段に格納されている。そして、外部からの操作入力が受け付けられて、受け付けられた操作入力に基づいて、番組情報記憶手段に格納されたサブチャンネルのチャンネル番号情報が変更され、変更後のチャンネル番号情報が番組情報記憶手段に上書きして記録される。また、外部からの操作入力が受け付けられて、受け付けられた操作入力に基づいて、再生する対象のサブチャンネル番号が設定され、設定されたサブチャンネル番号に対応する番組情報が番組情報記憶手段から読み出されて再生され、モニタに表示されるため、延長された番組をスムーズに視聴することができる。
【００１１】
すなわち、１の物理チャンネルに含まれる１のサブチャンネル（例えば、チャンネル番号が「１」のサブチャンネル）の番組（例えば、野球中継の番組）が延長された場合に、放送局側が、前記１の物理チャンネルに含まれる他の１のサブチャンネル（例えば、チャンネル番号が「２」のサブチャンネル）で放送した場合には、延長された番組に対応するサブチャンネル番号を変更する（サブチャンネル番号を、「２」から「１」に変更する）ことによって、再生中に再生するサブチャンネル番号を再度指定する（再生するサブチャンネル番号を、「１」から「２」に変更する）ことなく、延長された番組をスムーズに視聴することができるのである。
【００１２】
また、複数のサブチャンネルを含む１の物理チャンネルのデジタル放送が受信され、受信された１の物理チャンネルの番組情報が、受信された情報に基づいて、１の物理チャンネルに含まれる複数のサブチャンネル毎に、サブチャンネルのチャンネル番号情報及び番組名情報とそれぞれ対応付けて番組情報記憶手段に記録されるため、サブチャンネルのチャンネル番号情報の変更が容易な形態で、受信された１の物理チャンネルの番組情報を番組情報記憶手段に格納することができる。
【００１３】
更に、番組情報記憶手段に格納されたサブチャンネルのチャンネル番号情報及び番組名情報が対応付けてモニタに表示されるため、サブチャンネルのチャンネル番号情報の変更を容易に且つ正確に行うことができる。
【００１４】
すなわち、モニタに表示されたチャンネル番号情報及び番組名情報を確認しつつ、サブチャンネルのチャンネル番号情報の変更を行うことができるため、サブチャンネルのチャンネル番号情報の変更を容易に且つ正確に行うことができるのである。
【００１５】
請求項２に記載のデジタル放送再生装置によれば、デジタル放送を介して受信された１の物理チャンネルの番組情報が、１の物理チャンネルに含まれる複数のサブチャンネル毎に、サブチャンネルのチャンネル番号情報及び番組名情報とそれぞれ対応付けて番組情報記憶手段に格納されている。そして、外部からの操作入力が受け付けられて、受け付けられた操作入力に基づいて、番組情報記憶手段に格納されたサブチャンネルのチャンネル番号情報が変更され、変更後のチャンネル番号情報が番組情報記憶手段に上書きして記録される。また、外部からの操作入力が受け付けられて、受け付けられた操作入力に基づいて、再生する対象のサブチャンネル番号が設定され、設定されたサブチャンネル番号に対応する番組情報が番組情報記憶手段から読み出されて再生され、モニタに表示されるため、延長された番組をスムーズに視聴することができる。
【００１６】
すなわち、１の物理チャンネルに含まれる１のサブチャンネル（例えば、チャンネル番号が「１」のサブチャンネル）の番組（例えば、野球中継の番組）が延長された場合に、放送局側が、前記１の物理チャンネルに含まれる他の１のサブチャンネル（例えば、チャンネル番号が「２」のサブチャンネル）で放送した場合には、延長された番組に対応するサブチャンネル番号を変更する（サブチャンネル番号を、「２」から「１」に変更する）ことによって、再生中に再生するサブチャンネル番号を再度指定する（再生するサブチャンネル番号を、「１」から「２」に変更する）ことなく、延長された番組をスムーズに視聴することができるのである。
【００１７】
請求項３に記載のデジタル放送再生装置によれば、複数のサブチャンネルを含む１の物理チャンネルのデジタル放送が受信され、受信された１の物理チャンネルの番組情報が、受信された情報に基づいて、１の物理チャンネルに含まれる複数のサブチャンネル毎に、サブチャンネルのチャンネル番号情報及び番組名情報とそれぞれ対応付けて番組情報記憶手段に記録されるため、サブチャンネルのチャンネル番号情報の変更が容易な形態で、受信された１の物理チャンネルの番組情報を番組情報記憶手段に格納することができる。
【００１８】
請求項４に記載のデジタル放送再生装置によれば、番組情報記憶手段に格納されたサブチャンネルのチャンネル番号情報及び番組名情報が対応付けてモニタに表示されるため、サブチャンネルのチャンネル番号情報の変更を容易に且つ正確に行うことができる。
【００１９】
すなわち、モニタに表示されたチャンネル番号情報及び番組名情報を確認しつつ、サブチャンネルのチャンネル番号情報の変更を行うことができるため、サブチャンネルのチャンネル番号情報の変更を容易に且つ正確に行うことができるのである。
【発明を実施するための最良の形態】
【００２０】
以下に本発明の実施形態を、図面を参照しながら説明する。図１は、本発明に係るＨＤＤプレイヤの構成の一例を示すブロック図である。ＨＤＤプレイヤ１（デジタル放送再生装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００２１】
ＨＤＤプレイヤ１は、リモコン３を介してユーザからの操作入力を受け付けて、受け付けた操作入力に基づいて、テレビジョン放送を受信し、受信した番組情報を格納するものである。また、ＨＤＤプレイヤ１は、格納された番組情報を読み出して再生し、出力装置２に対して映像及び音声を出力するものである。
【００２２】
出力装置２は、ディスプレイ２１及びスピーカ２２を備え、ＨＤＤプレイヤ１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＨＤＤプレイヤ１から入力された映像情報を外部から視認可能に表示するものである。スピーカ２２は、ＨＤＤプレイヤ１から入力された音声情報を出力するものである。
【００２３】
リモコン３（サブチャンネル変更手段の一部、再生チャンネル設定手段の一部に相当する）は、ユーザからの操作入力を受け付けて、受け付けられた操作入力に対応する赤外線信号を生成して、ＨＤＤプレイヤ１に対して出力するものである。
【００２４】
また、ＨＤＤプレイヤ１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００２５】
ＭＰＵ（Ｍｉｃｒｏ  Ｐｒｏｃｅｓｓｉｎｇ  Ｕｎｉｔ）１１は、ＨＤＤプレイヤ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１を動作させる制御プログラム等を格納するものである。
【００２６】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２７】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２８】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００２９】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３０】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００３１】
ＨＤＤ（Ｈａｒｄ  Ｄｉｓｋ  Ｄｒｉｖｅ）１９は、ＭＰＵ１からの指示に従って映像情報、音声情報等の種々の情報を格納するものである。
【００３２】
次に、ＨＤＤプレイヤ１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３３】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３４】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００３５】
図２は、本発明に係るＨＤＤプレイヤ１における主要部の構成の一例を示すブロック図である。ＭＰＵ１１は、機能的に、記録実行部１１１、サブチャンネル表示部１１２、サブチャンネル変更部１１３、再生チャンネル設定部１１４、及び、再生実行部１１５を備え、ＨＤＤ１９は、機能的に、番組情報記憶部１９１を備えている。
【００３６】
ここでは、ＭＰＵ１１が、図１に示すＲＯＭ１３等に予め格納された制御プログラムを読み出して実行することにより、記録実行部１１１、サブチャンネル表示部１１２、サブチャンネル変更部１１３、再生チャンネル設定部１１４、再生実行部１１５等の機能部として機能すると共に、ＨＤＤ１９を、番組情報記憶部１９１等の機能部として機能させるものである。
【００３７】
また、ＲＡＭ１２、図２に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ、半導体メモリ等である。
【００３８】
番組情報記憶部１９１（番組情報記憶手段に相当する）は、受信部１５によって受信された１の物理チャンネルの番組情報を格納するものである。具体的には、番組情報記憶部１９１は、受信部１５によって受信された１の物理チャンネルの番組情報を、１の物理チャンネルに含まれる複数のサブチャンネル毎に、サブチャンネルのチャンネル番号情報及び番組名情報とそれぞれ対応付けて格納するものである。
【００３９】
記録実行部１１１（記録実行手段に相当する）は、受信部１５によって受信された１の物理チャンネルの番組情報を、受信部１５によって受信された情報（＝チャンネル番号情報、番組名情報等の制御情報）に基づいて、１の物理チャンネルに含まれる複数のサブチャンネル毎に、サブチャンネルのチャンネル番号情報及び番組名情報とそれぞれ対応付けて番組情報記憶部１９１に記録するものである。
【００４０】
サブチャンネル表示部１１２（サブチャンネル表示手段に相当する）は、番組情報記憶部１９１に格納されたサブチャンネルのチャンネル番号情報及び番組名情報を対応付けてディスプレイ２１に表示するものである。
【００４１】
サブチャンネル変更部１１３（サブチャンネル変更手段の一部に相当する）は、リモコン３を介してユーザからの操作入力を受け付けて、受け付けられた操作入力に基づいて、番組情報記憶部１９１に格納されたサブチャンネルのチャンネル番号情報を変更し、変更後のチャンネル番号情報を番組情報記憶部１９１に上書きして記録するものである。
【００４２】
再生チャンネル設定部１１４（再生チャンネル設定手段の一部に相当する）は、リモコン３を介してユーザからの操作入力を受け付けて、受け付けられた操作入力に基づいて、再生する対象のサブチャンネル番号を設定するものである。
【００４３】
再生実行部１１５（再生実行手段に相当する）は、再生チャンネル設定部１１４によって設定されたサブチャンネル番号に対応する番組情報を番組情報記憶部１９１から読み出して再生し、ディスプレイ２１に表示するものである。
【００４４】
図３は、サブチャンネル表示部１１２によってディスプレイ２１に表示されるサブチャンネル番号変更画面の一例を示す画面図である。（ａ）は、サブチャンネル変更部１１３によってチャンネル番号情報が変更される前のサブチャンネル番号変更画面４００であって、（ｂ）は、サブチャンネル変更部１１３によってチャンネル番号情報が変更された後のサブチャンネル番号変更画面４１０である。（ａ）に示す変更前のサブチャンネル番号変更画面４００には、上から順に、物理チャンネル番号表示部４０１、録画月日表示部４０２、録画時刻表示部４０３、サブチャンネル情報表示部４０４、４０５が表示されている。
【００４５】
物理チャンネル番号表示部４０１は、番組情報記憶部１９１に記録された番組の物理チャンネル番号情報を表示するものである。録画月日表示部４０２は、番組情報記憶部１９１に記録された番組の録画月日情報を表示するものである。録画時刻表示部４０３は、番組情報記憶部１９１に記録された番組毎に、録画時刻情報（＝録画開始時刻情報及び録画終了時刻情報）を表示するものである。
【００４６】
サブチャンネル情報表示部４０４、４０５は、番組情報記憶部１９１に記録されたサブチャンネル毎に、サブチャンネル番号情報及び番組名情報を、録画時刻表示部４０３に表示された録画時刻情報に対応付けて表示するものである。ここでは、サブチャンネル番号が「１」のサブチャンネルに対応する番組名情報は、録画時刻が２０時〜２２時の間は、「野球中継」であって、録画時刻が２２時〜２３時の間は、「○○ドラマ」である。また、サブチャンネル番号が「２」のサブチャンネルに対応する番組名情報は、録画時刻が２０時〜２２時の間は、データが無く（＝放送がされていないことを示し）、録画時刻が２２時〜２３時の間は、「野球中継（延長）」である。
【００４７】
すなわち、物理チャンネルが「５」の放送波を送出する放送局側が、この物理チャンネルに含まれる１のサブチャンネル（ここでは、チャンネル番号が「１」のサブチャンネル）の番組（ここでは、野球中継の番組）が延長されたため、この物理チャンネルに含まれる他の１のサブチャンネル（ここでは、チャンネル番号が「２」のサブチャンネル）で延長された番組（ここでは、延長された野球中継の番組）を放送したものである。
【００４８】
このままの状態で、物理チャンネルが「５」のサブチャンネル番号が「１」の番組を再生した場合には、まず、「野球中継」が再生され、その後、「○○ドラマ」が再生されるため、延長された「野球中継」を視聴する場合には、物理チャンネルが「５」のサブチャンネル番号が「２」の番組を再生する必要がある。すなわち、「野球中継」の再生が終了した時点で、再生するサブチャンネル番号を「１」から「２」に変更する必要がある。
【００４９】
（ｂ）に示す変更後のサブチャンネル番号変更画面４１０には、（ａ）に示す変更前のサブチャンネル番号変更画面４００と同様に、上から順に、物理チャンネル番号表示部４１１、録画月日表示部４１２、録画時刻表示部４１３、サブチャンネル情報表示部４１４、４１５が表示されている。
【００５０】
物理チャンネル番号表示部４１１、録画月日表示部４１２及び録画時刻表示部４１３は、（ａ）に示す変更前のサブチャンネル番号変更画面４００の物理チャンネル番号表示部４０１、録画月日表示部４０２及び録画時刻表示部４０３とそれぞれ同一であるので説明を省略する。
【００５１】
サブチャンネル情報表示部４１４、４１５は、番組情報記憶部１９１に記録されたサブチャンネル毎に、サブチャンネル変更部１１３によって変更されたサブチャンネル番号情報及び番組名情報を、録画時刻表示部４１３に表示された録画時刻情報に対応付けて表示するものである。ここでは、サブチャンネル変更部１１３によって、録画時刻が２２時〜２３時の間のサブチャンネル番号情報が変更されており、サブチャンネル番号が「１」のサブチャンネルに対応する番組名情報は、録画時刻が２０時〜２２時の間は、「野球中継」であって、録画時刻が２２時〜２３時の間は、「野球中継（延長）」である。また、サブチャンネル番号が「２」のサブチャンネルに対応する番組名情報は、録画時刻が２０時〜２２時の間は、データが無く（＝放送がされていないことを示し）、録画時刻が２２時〜２３時の間は、「○○ドラマ」である。
【００５２】
この状態で、物理チャンネルが「５」のサブチャンネル番号が「１」の番組を再生した場合には、まず、「野球中継」が再生され、その後、「野球中継（延長）」が再生されるため、延長された番組（ここでは、「野球中継」の番組）をスムーズに視聴することができるのである。
【００５３】
図４は、ＨＤＤプレイヤ１（主にＭＰＵ１１）の動作の一例を示すフローチャートである。なお、ここでは、便宜上、予め記録実行部１１１によって番組情報記憶部１９１に受信部１５によって受信された１の物理チャンネルの番組情報が格納されている場合について説明する。
【００５４】
まず、再生チャンネル設定部１１４によって、再生する対象のサブチャンネル番号が受け付けられたか否かの判定が行われる（Ｓ１０１）。サブチャンネル番号が受け付けられていないと判定された場合（Ｓ１０１でＮＯ）には、処理が待機状態とされる。サブチャンネル番号が受け付けられたと判定された場合（Ｓ１０１でＹＥＳ）には、再生実行部１１５によって、ステップＳ１０１において受け付けられたサブチャンネル番号に対応する番組情報が番組情報記憶部１９１から読み出されて再生され、ディスプレイ２１に表示される（Ｓ１０３）。
【００５５】
そして、再生実行部１１５によって、番組情報記憶部１９１に格納された番組情報の再生が終了したか否かの判定が行われる（Ｓ１０５）。番組情報の再生が終了していないと判定された場合（Ｓ１０５でＮＯ）には、処理が待機状態とされる。番組情報の再生が終了したと判定された場合（Ｓ１０５でＹＥＳ）には、再生実行部１１５によって、番組情報記憶部１９１に、ステップＳ１０１において受け付けられたサブチャンネル番号に対応する番組情報であって、ステップＳ１０５において再生が終了した番組情報の録画終了時刻と同一時刻に録画が開始されている番組情報が格納されているか否かの判定が行われる（Ｓ１０７）。番組情報が格納されていると判定された場合（Ｓ１０７でＹＥＳ）には、処理がステップＳ１０３に戻り、ステップ１０３以降の処理が繰り返し実行される。番組情報が格納されていないと判定された場合（Ｓ１０７でＮＯ）には、処理が終了される。
【００５６】
このようにして、デジタル放送を介して受信された１の物理チャンネルの番組情報が、１の物理チャンネルに含まれる複数のサブチャンネル毎に、サブチャンネルのチャンネル番号情報及び番組名情報とそれぞれ対応付けて番組情報記憶部１９１に格納されている。そして、リモコン３を介してユーザからの操作入力が受け付けられて、受け付けられた操作入力に基づいて、番組情報記憶部１９１に格納されたサブチャンネルのチャンネル番号情報が変更され、変更後のチャンネル番号情報が番組情報記憶部１９１に上書きして記録される。また、リモコン３を介してユーザからの操作入力が受け付けられて、受け付けられた操作入力に基づいて、再生する対象のサブチャンネル番号が設定され、設定されたサブチャンネル番号に対応する番組情報が番組情報記憶部１９１から読み出されて再生され、ディスプレイ２１に表示されるため、延長された番組をスムーズに視聴することができる。
【００５７】
すなわち、１の物理チャンネル（例えば、チャンネル番号が「６」の物理チャンネル）に含まれる１のサブチャンネル（例えば、チャンネル番号が「１」のサブチャンネル）の番組（例えば、野球中継の番組）が延長された場合に、放送局側が、前記１の物理チャンネルに含まれる他の１のサブチャンネル（例えば、チャンネル番号が「２」のサブチャンネル）で放送した場合には、延長された番組に対応するサブチャンネル番号を変更する（サブチャンネル番号を、「２」から「１」に変更する）ことによって、再生中に再生するサブチャンネル番号を再度指定する（再生するサブチャンネル番号を、「１」から「２」に変更する）ことなく、延長された番組をスムーズに視聴することができるのである（図３参照）。
【００５８】
また、複数（例えば、２個）のサブチャンネルを含む１の物理チャンネルのデジタル放送が受信され、受信された１の物理チャンネルの番組情報が、受信された情報に基づいて、１の物理チャンネルに含まれる複数のサブチャンネル毎に、サブチャンネルのチャンネル番号情報及び番組名情報とそれぞれ対応付けて番組情報記憶部１９１に記録されるため、サブチャンネルのチャンネル番号情報の変更が容易な形態で、受信された１の物理チャンネルの番組情報を番組情報記憶部１９１に格納することができる。
【００５９】
更に、番組情報記憶部１９１に格納されたサブチャンネルのチャンネル番号情報及び番組名情報が対応付けてディスプレイ２１に表示される（図３参照）ため、サブチャンネルのチャンネル番号情報の変更を容易に且つ正確に行うことができる。
【００６０】
すなわち、ディスプレイ２１に表示されたチャンネル番号情報及び番組名情報を確認しつつ、サブチャンネルのチャンネル番号情報の変更を行うことができるため、サブチャンネルのチャンネル番号情報の変更を容易に且つ正確に行うことができるのである。
【００６１】
なお、本発明は、以下の形態にも適用可能である。
（Ａ）本実施形態では、デジタル放送再生装置が、ＨＤＤプレイヤ１である場合について説明したが、デジタル放送再生装置が、デジタル放送を介して受信した番組情報を格納すると共に、格納された番組情報を再生してモニタに表示する装置であればよい。例えば、デジタル放送再生装置が、ＤＶＤプレイヤである形態でもよい。
【００６２】
（Ｂ）本実施形態では、記録実行部１１１が受信部１５によって受信された１の物理チャンネルの番組情報を、番組情報記憶部１９１に記録する場合について説明したが、番組情報記憶部１９１に予め受信部１５によって受信された１の物理チャンネルの番組情報が格納されている形態でもよい。この場合には、装置が簡略化される。
【図面の簡単な説明】
【００６３】
【図１】は、本発明に係るＨＤＤプレイヤの構成の一例を示すブロック図である。
【図２】は、本発明に係るＨＤＤプレイヤにおける主要部の構成の一例を示すブロック図である。
【図３】は、サブチャンネル表示部によってディスプレイに表示されるサブチャンネル番号変更画面の一例を示す画面図である。
【図４】は、ＨＤＤプレイヤ（主にＭＰＵ）の動作の一例を示すフローチャートである。
【符号の説明】
【００６４】
１    ＨＤＤプレイヤ（デジタル放送再生装置）
１１    ＭＰＵ
１１１    記録実行部（記録実行手段）
１１２    サブチャンネル表示部（サブチャンネル表示手段）
１１３    サブチャンネル変更部（サブチャンネル変更手段の一部）
１１４    再生チャンネル設定部（再生チャンネル設定手段の一部）
１１５    再生実行部（再生実行手段）
１２    ＲＡＭ
１９    ＨＤＤ
１９１    番組情報記憶部（番組情報記憶手段）
１５    受信部（受信手段）
２    出力装置
２１    ディスプレイ（モニタ）
３    リモコン（サブチャンネル変更手段の一部、再生チャンネル設定手段の一部）
【図１】
2008199241.tif 000003
【図２】
2008199241.tif 000004
【図３】
2008199241.tif 000005
【図４】
2008199241.tif 000006